(57)【要約】      （修正有）【課題】靴底が交換可能で長く自分にあった履き心地よいスニーカーを提供する。【解決手段】アッパー部分１（の靴底側周縁部）と中底部分２の周縁部を第１の縫糸３により縫合して、アッパー部分１に中底部分２を固定する。なお、アッパー部分１への中底の縫合位置は、靴底付近の位置でなおかつ中底を縫合した際に充分に強度が保持できなおかつ、後述する靴底との縫合の際に、縫い代部分が邪魔とならない位置である。さらに、アッパー部分１と中底２とが一体形成されたスニーカー本体の所定箇所と靴底４とを縫糸５により縫合する。この際に、靴底４は、外周部分にスニーカー本体の該当部分を覆うような縫い代（縫合部）を有している。【選択図】図２
0003151252.tif 000002
【実用新案登録請求の範囲】
【請求項１】
アッパー部分と中底部分の周縁部を固定するために縫合し、アッパー部分と靴底を固定するために更に縫合したことを特徴とするスニーカー
【請求項２】
前記履物の中底と靴底に、コルクを入れたスニーカー
【請求項３】
アッパー部分と中底部分とから構成されたスニーカー本体に縫合してスニーカーを構成するための靴底であって、前記靴底は、前記スニーカー本体の中底部分からアッパー部分の底部を覆うように構成されかつ、前記スニーカー本体の周縁部を縫合して一体化するための縫合部を有していることを特徴とする、スニーカー用の靴底。
【考案の詳細な説明】
【技術分野】
【０００１】
本発明は、靴に関し、特に、自分にあった履き心地のよい靴に関する。とりわけ、高級なブランド品のスニーカーに属する。
【背景技術】
【０００２】
従来より、スニーカーは、大量に生産するためアッパー部分と中底部分と靴底部分を接着して接合して製造される。一般にセメント製法と言われる手法により生産されるがコストがかからない。このスニーカーは、接着剤の効果に限界があり、靴が剥がれるので、長持ちしない。
【０００３】
一方、革靴の製造で、図４に示すようなグッドイヤーウェルト製法がある。これは、インソール底部に予め、リブを接着により取り付け、上記リブに、アッパーの周縁部と、ウエルトとを「つまみ縫い」すると共に、コバの上に配したウエルトとアウトソールとを出し糸により「出し縫い」するものである。上記製法は、堅牢で、履き心地が良い靴を製造することができる。
【０００４】
また、ウエルトの出し縫いの出し糸のみを解けば、アッパーにダメージを与えることなく、アウトソールを交換することができることから、長期間にわたって使用できる靴を製造することができる。
【０００５】
しかしながら、上記製法により製造した靴は、上記アッパー及びウエルトをリブに「つまみ縫い」することから、このリブが靴の長さ方向に形成されていると共に、これらのアッパー及びウエルトを縫い付け固定するためには所定の強度を有するインソールを使用する必要がある。
加えて、上記靴周縁部全域にウエルト及びリブが設けられていることから、靴の剛性は非常に高いものであるが、一方で、いわゆる「反り」が悪く、使用者は靴に足を馴染ませるのに時間がかかり、購入後、長期間にわたって足の窮屈さを我慢しなければならない、という不具合が存していた。
【０００６】
そこで、グッドイヤーウェルト製法の利点を、スニーカーの製造分野に活かし、痛んだソールを交換できることになり、履き心地の良いスニーカーに対する要望がある。
【０００７】
【特許文献１】特開２００６−１４９８１１号
【考案の開示】
【考案が解決しようとする課題】
【０００８】
自分にあった履き心地を末永く提供できるスニーカーを提供したい。近年では、スニーカーを購入する者が、お金を出しても良いスニーカーを履きたいというニーズが出てきた。しかしながら、靴底は使用することに減って行く。そこで、革靴に利用されているグッドイヤーウェルト製法をスニーカーに応用することで、靴底を交換し、長く自分にあった履き心地よいスニーカーを提供する。
【課題を解決するための手段】
【０００９】
上記課題を解決するために、次のことを考えた。アッパー部分と中底部分の周縁部を固定するために縫合し、アッパー部分と靴底を固定するために更に縫合したことを特徴とするスニーカーを提供する。更に、前記履物の中底と靴底に、コルクを入れたスニーカーを提供する。
さらにまた、アッパー部分と中底部分とから構成されたスニーカー本体に縫合してスニーカーを構成するための靴底を提供する。、前記靴底は、前記スニーカー本体の中底部分からアッパー部分の底部を覆うように構成されかつ、前記スニーカー本体の周縁部を縫合して一体化するための縫合部を有している。
【考案を実施するための形態】
【００１０】
以下、本考案の好ましい実施の形態について具体的に説明する。
図１から図３は、本考案の一実施形態に係るスニーカーを示す図面であり、図１は、スニーカーのアッパー部分と中底部分との関係を示す図面であり、図２は、本考案のスニーカーの全体構成を示す図面であり、そして、図３は、本考案のスニーカーの靴底部分を示す図面である。
【００１１】
図１に示す通り、アッパー部分１（の靴底側周縁部）と中底部分２の周縁部を第１の縫糸３により縫合して、アッパー部分１に中底部分２を固定する。なお、アッパー部分１への中底の縫合位置は、靴底付近の位置でなおかつ中底を縫合した際に充分に強度が保持できなおかつ、後述する靴底との縫合の際に、縫い代部分が邪魔とならない位置である。
【００１２】
また、本考案に係るスニーカーを構成するアッパー部分の素材については、当該技術分野に周知の素材から適宜選択される。また、アッパー部分の形状やデザインについても、特に限定されるものではなく、目的・用途に応じて適宜選択される。
同様にして、中底や縫糸の素材も当該技術分野に周知の素材から適宜選択される。
【００１３】
このようにして図１に示すスニーカー本体が、アッパー部分１と中底２の周辺部分とを縫糸３により縫合することによって形成される。
【００１４】
次いで、図２に示す通り、このようにしてアッパー部分１と中底２とが一体形成されたスニーカー本体の所定箇所と靴底４とを縫糸５により縫合する。
【００１５】
この際に、靴底４は、外周部分にスニーカー本体の該当部分を覆うような縫い代（縫合部）を有している。このように、外周部分にスニーカー本体の該当部分を覆うような縫合部を有する靴底は新規である。従って、本考案は、このような縫合部を有するスニーカー用の靴底まで拡張される。
【００１６】
また、図３に示す通り、靴底４は、所望の素材で形成された中敷６（あるいはクッション素材）などを中底２との接触面に設けることができる。なお、中敷６は、一層であっても二層以上であってもよい。
【００１７】
このように、まず、アッパー部分と中底の周縁部とを縫合して一体形成した後に、中底をからアッパー部分の下方にかけて本考案の靴底で覆い、そして、靴底とアッパー部分の所定箇所を縫合することによって本考案のスニーカーが形成される。
【００１８】
このように、本考案によると、従来のグッドイヤーウェルト方式の革靴と同様な強度を有しなおかつ靴底部分の交換可能なスニーカーを提供することが可能となる。
【００１９】
しかも、本考案によると、靴底の素材の強度がグッドイヤーウェルト方式によるものほど要求されない。そのため、購入当初から足に馴染みやすい履物を提供することが可能となる。
【図面の簡単な説明】
【００２０】
【図１】スニーカーのアッパー部分と中底部分との関係を示す図面。
【図２】本考案のスニーカーの全体構成を示す図面。
【図３】本考案のスニーカーの靴底部分を示す図面である。
【図４】従来のグッドイヤーウェルト製法について説明する図面。
【符号の説明】
【００２１】
１  アッパー部分
２  中底
３、５  縫糸
４  靴底
６  中敷
【図１】
0003151252.tif 000003
【図２】
0003151252.tif 000004
【図３】
0003151252.tif 000005
【図４】
0003151252.tif 000006
【手続補正書】
【提出日】平成21年4月7日(2009.4.7)
【手続補正１】
【補正対象書類名】実用新案登録請求の範囲
【補正対象項目名】請求項１
【補正方法】変更
【補正の内容】
【請求項１】
アッパー部分と中底部分の周縁部を固定するために縫合し、アッパー部分と靴底を固定するために更に縫合したことを特徴とするスニーカー。
【手続補正２】
【補正対象書類名】実用新案登録請求の範囲
【補正対象項目名】請求項２
【補正方法】変更
【補正の内容】
【請求項２】
前記中底部分と前記靴底の素材はコルクを含むことを特徴とする請求項１記載のスニーカー。
【手続補正３】
【補正対象書類名】明細書
【補正対象項目名】０００９
【補正方法】変更
【補正の内容】
【０００９】
上記課題を解決するために、次のことを考えた。アッパー部分と中底部分の周縁部を固定するために縫合し、アッパー部分と靴底を固定するために更に縫合したことを特徴とするスニーカーを提供する。更に、中底部分と靴底の素材にコルクを含むスニーカーを提供する。
さらにまた、アッパー部分と中底部分とから構成されたスニーカー本体に縫合してスニーカーを構成するための靴底を提供する。前記靴底は、前記スニーカー本体の中底部分からアッパー部分の底部を覆うように構成されかつ、前記スニーカー本体の周縁部を縫合して一体化するための縫合部を有している。